(57)【要約】【課題】従来の一眼レフ機能も備えたカメラシステムを提供する。【解決手段】カメラヘッド１０が光学式ファインダユニットを着脱自在に支持するファインダ支持部１０Ｂを備えていて、そのファインダ支持部１０Ｂに光学式ファインダユニット１２が装着されると一眼レフ機能を備えたカメラシステムになる。カメラヘッド内には、撮影レンズ１０１の光路上にハーフミラー１０３が設けられており、そのハーフミラー１０３により反射した被写体がファインダ１２側に、またそのハーフミラー１０３を透過した被写体光が撮像素子１０２に結像される。すなわち、レフ板にハーフミラー１０３が使用された一眼レフカメラになる。【選択図】  図１
2007019868.tif 000002
【特許請求の範囲】
【請求項１】
撮影光学系と撮像素子とを備えたカメラヘッドと、該カメラヘッドが着脱自在に装着されるカメラ本体とを備えたカメラシステムにおいて、
前記カメラヘッドに着脱自在に装着される光学式ファインダユニットを備え、
前記カメラヘッドは、
前記光学式ファインダユニットを着脱自在に支持するファインダ支持部と、
撮影光学系を経由して入射してきた被写体光を透過して前記撮像素子上に被写体像を結像させるとともに、該被写体光を反射し該カメラヘッドに装着された光学式ファインダユニットを介して被写体を視認させるハーフミラーとを備えたことを特徴とするカメラシステム。
【請求項２】
撮影光学系と撮像素子とを備えたカメラヘッドと、該カメラヘッドが着脱自在に装着されるカメラ本体とを備えたカメラシステムにおいて、
前記カメラヘッドに着脱自在に装着される光学式ファインダユニットを備え、
前記カメラヘッドは、
前記光学式ファインダユニットを着脱自在に支持するファインダ支持部と、
前記光学式ファインダユニットが非装着の状態においては撮影光学系を経由して入射し前記撮像素子上に結像する被写体光の光軸上から退避した退避位置に移動し、前記光学式ファインダユニットが装着された状態においては前記光路上に移動して、撮影光学系を経由して入射してきた被写体光を透過して前記撮像素子上に被写体像を結像させるとともに該被写体光を反射し該カメラヘッドに装着された光学式ファインダユニットを介して被写体を視認させるハーフミラーとを備えたことを特徴とするカメラシステム。
【請求項３】
前記カメラ本体が、前記カメラヘッドに備えられたファインダ支持部と共同して前記光学式ファインダユニットを着脱自在に支持する第２のファインダ支持部を備え、
前記光学式ファインダユニットは、前記レンズユニットに備えられたファインダ支持部と前記カメラ本体に備えられた第２のファインダ支持部との双方に同時に装着されるものであることを特徴とする請求項１又は２記載のカメラシステム。
【請求項４】
前記光学式ファインダユニットが、該光学式ファインダユニット内側から投影された被写体像を該光学式ファインダユニット外側から視認させるスクリーンと、前記撮影光学系および前記ハーフミラーを経由して入射してきた被写体光を前記スクリーン上に結像させるファインダ光学系とを備えたものであることを特徴とする請求項１又は２記載のカメラシステム。
【請求項５】
前記ファインダ支持部に支持された光学式ファインダユニットの前記スクリーン上に投影された被写体像を拡大して視認させる、前記カメラ本体に着脱自在に装着される光学式拡大ユニットを供え、前記カメラ本体は、前記光学式拡大ユニットを着脱自在に支持する拡大ユニット支持部を備えたことを特徴とする請求項４記載のカメラシステム。
【請求項６】
前記ハーフミラーを、撮影光学系を経由して入射してきた被写体光を透過して前記撮像素子上に被写体像を結像させるとともに該被写体光を反射し該カメラヘッドに装着された光学式ファインダユニットを介して被写体を視認させる作用位置と、撮影光学系を経由して入射して前記撮像素子上に結像する被写体光の光軸上から退避した退避位置との間で移動させるミラー移動部と、
前記作用位置と前記退避位置を操作により指示するミラー位置指示部とを備え、
前記ミラー移動部は、前記ハーフミラーを、前記ミラー位置指示部で指示された位置に移動させるものであることを特徴とする請求項１記載のカメラシステム。
【発明の詳細な説明】
【技術分野】
【０００１】
撮影光学系と撮像素子とを備えたカメラヘッドと、そのカメラヘッドが着脱自在に装着されるカメラ本体とを備えたカメラシステムに関する。
【背景技術】
【０００２】
交換レンズが交換自在に装着され撮影が行なわれるような従来のカメラシステムの代わりに、撮影光学系と撮像素子とを備えたカメラヘッドとそのカメラヘッドが着脱自在に装着されるカメラ本体とを備えたカメラシステムが提案されている。このようなカメラシステムにおいては、カメラ本体側に表示画面を設けることでその表示画面をファインダ代わりに用いることもできる。また上記のようにカメラヘッドに撮像素子が備えられるとなると、その撮像素子で生成した画像を用いてＥＶＦ（Ｅｌｅｃｔｒｉｃ  Ｖｉｅｗ  Ｆｉｎｄｅｒ）と呼ばれるファインダをカメラヘッド側に設けることもできる。
【０００３】
ところで一眼レフカメラにおいてはその構造上、どうしてもファインダ側に被写体を反射させるためのミラーを設ける必要があるため、ファインダ光学系が大型化してファインダ全体が大型化してしまうという問題を抱えている（例えば特許文献１、２参照）。
【０００４】
しかし、この一眼レフカメラのファインダは、上記ＥＶＦとは異なり撮影光学系が見ている被写体をそのまま視認することができるという利点を有するため、ハイアマチュアと呼ばれるようなプロ顔負けの腕前を持つ撮影者達に好んで用いられる。
【０００５】
上記カメラシステムを製作する製作者達は、上記カメラシステムを製作販売するにあたって、初心者から上記ハイアマチュアと呼ばれる熟練者に至るまでのすべての撮影者に使い勝手の良いカメラシステムを提供したいと考えている。このような観点から、初心者向けには上記表示画面をファインダ代わりにして撮影が行なえるようにし、上記ハイアマチュアにはファインダを用いて撮影が行なえるようにしておきつつも、大型化を抑えたカメラシステムであることが望まれる。
【特許文献１】特開平５−３４１３５６号公報
【特許文献２】特開平８−８２８３８号公報
【発明の開示】
【発明が解決しようとする課題】
【０００６】
上記事情に鑑みて、従来の一眼レフ機能も備えた、初心者からハイアマチュアまでの幅広いユーザの使用に耐える、大型化を抑えたカメラシステムを提供することを目的とする。
【課題を解決するための手段】
【０００７】
上記目的を達成する本発明の第１のカメラシステムは、撮影光学系と撮像素子とを備えたカメラヘッドと、そのカメラヘッドが着脱自在に装着されるカメラ本体とを備えたカメラシステムにおいて、
上記カメラヘッドに着脱自在に装着される光学式ファインダユニットを備え、
上記カメラヘッドは、
上記光学式ファインダユニットを着脱自在に支持するファインダ支持部と、
撮影光学系を経由して入射してきた被写体光を透過して上記撮像素子上に被写体像を結像させるとともに、その被写体光を反射しそのカメラヘッドに装着された光学式ファインダユニットを介して被写体を視認させるハーフミラーとを備えたことを特徴とする。
【０００８】
上記本発明の第１のカメラシステムによれば、上記光学式ファインダユニットが上記カメラヘッドに着脱自在に装着され上記ファインダ支持部にそのファイダンユニットがしっかりと支持されると上記ハーフミラーにより一眼レフ機能が発揮される、上記ハイアマチュア向けのカメラシステムになり、上記ファインダユニットが上記カメラヘッドから取り外されると本体側にある表示画面がファインダとして用いられる、初心者向けの小型なカメラシステムになる。
【０００９】
すなわち、従来の一眼レフ機能も備えた、初心者からハイアマチュアまでの幅広いユーザの使用に耐える、大型化を抑えたカメラシステムが実現される。
【００１０】
また上記目的を達成する本発明の第２のカメラシステムは、撮影光学系と撮像素子とを備えたカメラヘッドと、そのカメラヘッドが着脱自在に装着されるカメラ本体とを備えたカメラシステムにおいて、
上記カメラヘッドに着脱自在に装着される光学式ファインダユニットを備え、
上記カメラヘッドは、
上記光学式ファインダユニットを着脱自在に支持するファインダ支持部と、
上記光学式ファインダユニットが非装着の状態においては撮影光学系を経由して入射し上記撮像素子上に結像する被写体光の光軸上から退避した退避位置に移動し、上記光学式ファインダユニットが装着された状態においては上記光路上に移動して、撮影光学系を経由して入射してきた被写体光を透過して上記撮像素子上に被写体像を結像させるとともにその被写体光を反射しそのカメラヘッドに装着された光学式ファインダユニットを介して被写体を視認させるハーフミラーとを備えたことを特徴とする。
【００１１】
上記第１のカメラシステムの構成でも良いが、上記第１のカメラシステムの構成であると、ファインダユニットが非装着の状態、つまり初心者がこのカメラシステムを使用して撮影を行なおうとしているときには撮影光路にハーフミラーが固定的に位置してしまうため撮影光量が不足してしまうようなことが起こり得る。
【００１２】
そこで、上記本発明の第２のカメラシステムでは、そのハーフミラーが撮影光学系の光路上に位置してしまうと撮影光量が半減してしまうということを考慮して上記ファインダユニットが非装着の状態のときには上記ハーフミラーを光路上に留めずに上記退避位置に退避させるようにしている。この第２のカメラシステムのような構成であると、ユーザの中の初心者に対しては撮影の行ない易い、使い勝手の良いカメラシステムを提供することができ、またハイアマチュアの人に対してはファインダユニットの装着によって一眼レフカメラとして機能するカメラシステムを提供することができる。
【００１３】
ここで、上記カメラ本体が、上記カメラヘッドに備えられたファインダ支持部と共同して上記光学式ファインダユニットを着脱自在に支持する第２のファインダ支持部を備え、
上記光学式ファインダユニットは、上記レンズユニットに備えられたファインダ支持部と前記カメラ本体に備えられた第２のファインダ支持部との双方に同時に装着されるものであることが好ましい。
【００１４】
上記カメラヘッド側の上記ファインダ支持部と上記カメラ本体側の上記第２のファインダ支持部との双方に同時に装着されるようになると、上記ファインダユニットが上記カメラヘッドに装着されるだけの場合に比べてよりしっかりと上記カメラヘッドおよび上記カメラ本体に支持されるようになる。すなわち、上記第１のファインダ支持部と上記第２のファイダ支持部との双方からなる上記ファインダ支持部の強度がより一層向上する。
【００１５】
また、上記光学式ファインダユニットが、その光学式ファインダユニット内側から投影された被写体像をその光学式ファインダユニット外側から視認させるスクリーンと、上記撮影光学系および上記ハーフミラーを経由して入射してきた被写体光を上記スクリーン上に結像させるファインダ光学系とを備えたものである態様であることが好ましく、さらに上記ファインダ支持部に支持された光学式ファインダユニットの上記スクリーン上に投影された被写体像を拡大して視認させる、上記カメラ本体に着脱自在に装着される光学式拡大ユニットを備え、上記カメラ本体は、上記光学式拡大ユニットを着脱自在に支持する拡大ユニット支持部を備えた態様であることが望ましい。
【００１６】
このようにスクリーン上の被写体をファインダから離れた位置から視認することができるようにしておくと、スポーツ撮影を行う場合などにおいてその威力が発揮されて眼をファインダから離した状態にあってもスクリーン上の被写体を見ながら撮影を行なうことができるようになる。
【００１７】
また、上記ハーフミラーを、撮影光学系を経由して入射してきた被写体光を透過して上記撮像素子上に被写体像を結像させるとともにその被写体光を反射しそのカメラヘッドに装着された光学式ファインダユニットを介して被写体を視認させる作用位置と、撮影光学系を経由して入射して上記撮像素子上に結像する被写体光の光軸上から退避した退避位置との間で移動させるミラー移動部と、
上記作用位置と上記退避位置を操作により指示するミラー位置指示部とを備え、
上記ミラー移動部は、上記ハーフミラーを、上記ミラー位置指示部で指示された位置に移動させるものであることが好ましい。
【００１８】
そうすると、上記ミラー位置選択部の操作に応じて上記ハーフミラーを上記作用位置に移動させることも、上記ハーフミラーを上記退避位置に移動させることも行なえるようになってユーザ判断により一眼レフ機能か、通常のデジタルカメラの機能かのうちのいずれかを自在に選択することができるようになる。
【発明の効果】
【００１９】
以上、説明したように、従来の一眼レフ機能も備えた、初心者からハイアマチュアまでの幅広いユーザの使用に耐える、大型化を抑えたカメラシステムが実現される。
【発明を実施するための最良の形態】
【００２０】
以下図面を参照して本発明の実施の形態を説明する。
【００２１】
図１は、本発明の一実施形態であるカメラシステム１の構成を示す図である。
【００２２】
図１（ａ）には光学式ファインダユニット１２が装着状態にあるときのカメラシステム１の構成が示されており、図１（ｂ）には光学式ファインダユニット１２が非装着状態にあるときのカメラシステム１の構成が示されている。
【００２３】
図１（ａ），図１（ｂ）に示すカメラシステム１には、撮影レンズ１０１と撮像素子１０２とを備えたカメラヘッド１０と、そのカメラヘッド１０が着脱自在に装着されるカメラ本体１１とが備えられている。またカメラヘッド１０には撮像素子１０２、撮影レンズ１０１等を駆動するためのプロセッサからなる駆動ユニット１００も備えられている。したがって、このカメラシステム１のカメラ本体１１は、カメラヘッド１０側の撮像素子１０２で生成された画像データを受けて画像データを記録媒体に記録するであるとか、画像データに基づく画像を表示画面上に再生表示するであるとかという機能のみを有するものになる。つまり本実施形態においてはカメラシステム１が備えるカメラ本体１１は画像記録再生装置になる。
【００２４】
また図１（ａ）、図１（ｂ）に示すカメラシステム１には、オプションユニットとして光学式ファインダユニット１２も備えられている。その光学式ファインダユニット１２はカメラヘッド１０に装着されるものであって、カメラヘッド１０には、その光学式ファインダユニット１２を着脱自在に支持するファインダ支持部１０Ｂと、撮影レンズ１０１を経由して入射してきた被写体光を透過して撮像素子１０２上に被写体像を結像させるとともにその被写体光を反射してそのカメラヘッド１０に装着された光学式ファインダユニット１２を介して被写体を視認させるハーフミラー１０３とが備えられている。
【００２５】
そのカメラヘッド１０のファインダ支持部１０Ｂには、図１（ｂ）に示すように所定の距離を隔てた位置に雌ネジが切られており、雄ネジである止めネジ１０１１，１０１２がそれらの雌ネジに螺入されてファインダ蓋１０５が固定されるようになっている。これらの止めネジ１０１１，１０１２が外されてファインダ蓋１０５が外されると、防塵窓１０４が露出するようになる。さらにこの例においては、光学式ファインダユニット１２側の対物端部がその防塵窓１０４に接するようにして配設されてファインダ支持部１０１に装着されたら上記２本の止めネジのうちの一方の止めネジ１０１２により光学式ファインダユニット１２がカメラヘッド１０にしっかりと支持されるようになっている。また、光学式ファインダユニット１２には、ハーフミラー１０３で反射した被写体光をファインダ接眼部１２４側に反射させるミラー１２１が設けられており、そのミラー１２１により反射させた被写体光を、ピントのあった状態にして接眼部１２５にまで導くためのレンズ１２２，１２３，１２４が所定の位置にそれぞれ配備されている。
【００２６】
このようにしておくと、光学式ファインダユニット１２が着脱自在なので、携帯を重視する場合には光学式ファインダユニット１２をカメラヘッド１０から取り外して携行することも、また初心者の人がこのカメラシステムを使用する場合にはデジタルカメラ風にこのカメラシステムを使用することも、ハイアマチュアの人が使用する場合には、光学式ファインダユニットを装着することにより一眼レフカメラ風にこのカメラシステムを使用することもできる。また光学式ファインダユニットが着脱式であるので光学式ファインダユニットを装着せずに初心者がこのカメラシステムを使用するときにはファインダがない分、コンパクトなカメラシステムになる。
【００２７】
以上説明したように、従来の一眼レフ機能も備えた、初心者からハイアマチュアまでの幅広いユーザの使用に耐える、大型化を抑制したカメラシステムが実現される。
【００２８】
なお、上記実施形態においては止めネジを用いたがロック付きのスライドレール構造などを用いても良い。
【００２９】
図２は、図１の変形例を示す図である。
【００３０】
図１では、光学式ファインダユニット１２のファインダ支持部１０１がカメラヘッド１０側にのみ設けられているため、光学式ファインダユニット１２全体の光路長が長くなってくると光学式ファインダユニットの安定性が悪くなってくる。
【００３１】
そこで、カメラヘッド１０側のファインダ支持部１０Ｂに加えカメラ本体１１にアクセサリシュー１１０を設けてファインダユニット１２の取付部１２６をそのアクセサリシュー１１０にも取り付けるようにすることでファインダユニットの支持構造をより堅固なものにしている。
【００３２】
言い換えれば本発明にいうところのカメラ本体１１が、カメラヘッド１０に備えられたファインダ支持部１０１と共同して光学式ファインダユニット１２を着脱自在に支持する第２のファインダ支持部１１０を備え、光学式ファインダユニット１２は、レンズユニット１０に備えられたファインダ支持部１０１とカメラ本体１１に備えられた第２のファインダ支持部１１０との双方に同時に装着されるものであるということになる。
【００３３】
このようにすると、光学式ファインダユニット１２を支持するファインダ支持構造の強度アップが図れる。
【００３４】
図３は、第２の実施形態を示す図である。
【００３５】
上記第１実施形態においては、光学式ファインダユニット１２を用いる用いないに拘わらずハーフミラー１０３を固定的に撮影光路内に留めたままにする例を示したが、ハーフミラー１０３を本発明にいう作用位置（光軸に対して４５度傾いている光路上）に固定的に留めたままにしておくと撮影光量が半減してしまうので、光学式ファインダを使用しない場合にはハーフミラーを退避位置に退避させるようにして撮像素子に到達する撮影光量を充分確保することができるようにしている。
【００３６】
図３の例においてはハーフミラー１０３の一端部を回転軸１０３０に回転自在に軸支しておいて、光学式ファインダユニット１２を装着したときには光学式ファインダユニット側に設けた突出ピン１２Ｐによりその回転軸１０３０を図３の左方（点線部）に押し込むようにしてハーフミラー１０３を光路（点線で示した位置）上に進出させたり、光学式ファインダユニット１２を取り外したときにはその回転軸１０３０の押し込み力を解放することにより回転軸１０３０を図３の右方に移動させたりすることによってバネ付勢によりハーフミラー１０３を光路上から退避させたりするようにしている。
【００３７】
このようにすると、ファインダユニットを装着せずにこのカメラシステムをデジタルカメラ風に用いて撮影を行なったときに発生していた撮影時の光量不足という問題が解消される。また、一眼レフ風にこのカメラシステムを使用するときにはハーフミラーによりファインダ側に被写体光を導いて撮影光学系と同じ被写体をファインダにより観察することができるようにもなる。
【００３８】
図４は、第３の実施形態を説明する図である。
【００３９】
図４に示すように光学式ファインダユニット１２Ａが、その光学式ファインダユニット内側から投影された被写体像をその光学式ファインダユニット１２Ａ外側から視認させるスクリーン１２４Ａと、撮影レンズ１０１およびハーフミラー１０３を経由して入射してきた被写体光をそのスクリーン１２４Ａ上に結像させるファインダ光学系１２１Ａ，１２２Ａ，１２３Ａとを備えている。
【００４０】
このようにしておくと、そのスクリーン１２４Ａ上の投影像を離れた位置から目視にて被写体を観察することができるようになる。
【００４１】
図５は、図４の変形例を説明する図である。
【００４２】
カメラヘッド１０のファインダ支持部１０１に支持された光学式ファインダユニット１２Ａのスクリーン１２４Ａ上に投影された被写体像を拡大して視認させる、カメラ本体１０に着脱自在に装着される光学式拡大ユニット１２５Ａを備え、カメラ本体１０は、その光学式拡大ユニット１２５Ａを着脱自在に支持する拡大ユニット支持部１１０Ａを備えている。
【００４３】
このようにしておくと、スクリーンから離れた位置から目視にてスクリーン上の被写体を観察するにあたって、より鮮明な被写体を観察することができるようになる。
【００４４】
図６は、ハーフミラーの作用位置への移動、およびハーフミラーの退避位置への移動を操作により選択することができるようにした場合の構成を説明する図である。
【００４５】
図３では、光学式ファインダユニット１２をカメラヘッド１０に装着するときに光学式ファインダユニット１２に設けた突出ピン１２Ｐにより回転軸１０３０を押し付けることによりハーフミラー１０３を作用位置に移動させたり、光学式ファインダユニット１２を取り外すときに突出ピン１２Ｐの押し付け力を解放することによりハーフミラー１０３を退避位置に移動させたりしていたが、その突出ピン１２Ｐの代わりに操作子１１１とその操作子の操作に連動して左右に移動するプランジャ１０９を回転軸１０３０付近に設けて操作子１１１の操作に応じてそのプランジャ１０９先端を左に移動させ回転軸１０３０を押し付けることによりハーフミラー１０３を作用位置に移動させたり、プランジャ１０９の先端を図の右方へ移動させ回転軸１０３０への押し付け力を解放することによりハーフミラー１０３を退避位置に移動させたりするようにしている。
【００４６】
図６に示すカメラ本体１０のカメラボディ中央にはレンズ装着部が在り、カメラボディ上面にハーフミラー１０３を作用位置に移動させるか、退避位置に移動させるかを指示する、本発明にいうミラー位置指示部になる操作子１１１が設けられている。図３においてはファインダユニット側の突出ピン１２Ｐにより回転軸１０３０が押し付けられたが、図６の例においては上記操作子１１１のミラーアップ側への操作に連動してプランジャ１０９が図の左方へ動いてそのプランジャ１０９の移動により回転軸１０３０が図の左方へ押し付けられてハーフミラー１０３が図６に示す光路上に進出するようになっている。またその操作子１１１がミラーアップ側に操作されると、プランジャ１０９の押し付け力が解放されるようにプランジャ１０９先端が右方へ移動することにより回転軸１０３０が図の右方へ移動してハーフミラー１０３が退避位置に退避するようになっている。
【００４７】
このようにすると、ユーザの判断によりハーフミラー１０３を作用位置に移動させることも退避位置に移動させることもできるようになる。
【００４８】
つまり、操作子の操作を行なうユーザの判断によってこのデジタルカメラを一眼レフカメラ風にすることも、デジタルカメラ風にすることもできるカメラシステムになる。
【００４９】
以上、説明したように、従来の一眼レフ機能も備えた、初心者からハイアマチュアまでの幅広いユーザの使用に耐える、小型なカメラシステムが実現される。
【図面の簡単な説明】
【００５０】
【図１】本発明の一実施形態であるカメラシステムの構成を示す図である。
【図２】図１の変形例を示す図である。
【図３】第２の実施形態を示す図である。
【図４】第３の実施形態を説明する図である。
【図５】図４の変形例を説明する図である。
【図６】図２および図３を併合した場合の変形例を説明する図である。
【符号の説明】
【００５１】
１    カメラシステム
１０    カメラヘッド
１０Ｂ    ファインダ支持部
１０１    撮影レンズ
１０２    撮像素子
１０３    ミラー
１０４    防塵窓
１０５    ファインダ蓋
１１    カメラ本体
１１１    操作子
１２  １２Ａ  光学式ファインダ
１２１  １２１Ａ  ミラー
１２２    １２３    １２４  ファインダ光学系
１２５    接眼部
【図１】
2007019868.tif 000003
【図２】
2007019868.tif 000004
【図３】
2007019868.tif 000005
【図４】
2007019868.tif 000006
【図５】
2007019868.tif 000007
【図６】
2007019868.tif 000008